(57)【要約】  本願の実施例は、柔軟なランダムアクセスを実現することができるランダムアクセスのための方法及びデバイスを提供する。当該方法は、第１のデバイスがランダムアクセス過程に伝送される第１のメッセージが使用する第１の基本パラメータセットを確定することと、前記第１の基本パラメータセットを利用して、前記第１のデバイスが第２のデバイスに前記第１のメッセージを送信し、又は前記第２のデバイスにより送信された前記第１のメッセージを受信することとを含む。
2020504981.tif 000002
【特許請求の範囲】
【請求項１】
第１のデバイスがランダムアクセス過程に伝送される第１のメッセージが使用する第１の基本パラメータセットを確定することと、
前記第１の基本パラメータセットを利用して、前記第１のデバイスが第２のデバイスに前記第１のメッセージを送信し、又は前記第２のデバイスにより送信された前記第１のメッセージを受信することとを含む
ことを特徴とするランダムアクセスのための方法。
【請求項２】
前記ランダムアクセスのための第１のメッセージは、４つのステップのランダムアクセス過程に伝送されるメッセージ、又は２つのステップのランダムアクセス過程に伝送されるメッセージである
ことを特徴とする請求項１に記載のランダムアクセスのための方法。
【請求項３】
前記第１のデバイスが端末デバイスであり、前記第２のデバイスがアクセスネットワークデバイスであり、又は、
前記第１のデバイスがアクセスネットワークデバイスであり、前記第２のデバイスが端末デバイスである
ことを特徴とする請求項１又は２に記載のランダムアクセスのための方法。
【請求項４】
前記第１のデバイスがランダムアクセスのための第１のメッセージの伝送に使用する第１の基本パラメータセットを確定することは、
予め設定された多種の基本パラメータセット、
ランダム関数、
前記端末デバイスのレベル情報、
前記端末デバイスと前記アクセスネットワークデバイスとの現在リンク品質値、
前記端末デバイスの現在の所在位置の情報、
前記ランダムアクセス過程の実行時間、
前記端末デバイスの伝送するサービスの情報、
前記ランダムアクセス過程のトリガ要因、
前記第１のメッセージの伝送に使用するリソース、
前記第１のメッセージの伝送に使用する周波数領域リソースの所在の周波数帯、
前記端末デバイスがサポートする基本パラメータセット、
前記端末デバイスがサポートする周波数バンド、
前記ランダムアクセス過程の実行時に使用するランダムアクセス方式、
前記第１のメッセージの前の履歴メッセージに含まれる基本パラメータセットを示すための情報、及び
前記第１のメッセージの前の履歴メッセージが使用する基本パラメータセットのうちの少なくとも１つの情報に基づいて、前記第１のデバイスが前記第１の基本パラメータセットを確定することを含む
ことを特徴とする請求項３に記載のランダムアクセスのための方法。
【請求項５】
前記第１のデバイスが前記第１の基本パラメータセットを確定することは、
前記第１のデバイスが前記予め設定された多種の基本パラメータセットから、前記第１の基本パラメータセットを選択することを含む
ことを特徴とする請求項４に記載のランダムアクセスのための方法。
【請求項６】
前記第１のデバイスが前記第１の基本パラメータセットを確定することは、
前記第１のデバイスが前記ランダム関数に基づいて、第１の確率値を取得することと、
第１の対応関係及び前記第１の確率値に基づいて、前記第１の基本パラメータセットを確定することとを含み、
前記第１の対応関係は、少なくとも１つの確率範囲と少なくとも１つの基本パラメータセットとの対応関係を示す
ことを特徴とする請求項４又は５に記載のランダムアクセスのための方法。
【請求項７】
前記第１のデバイスが前記第１の基本パラメータセットを確定することは、
前記第１のデバイスが前記ランダム関数に基づいて、第２の確率値を取得することと、
第２の対応関係、前記第２の確率値及び前記端末デバイスのレベル情報が示すレベルに基づいて、前記第１の基本パラメータセットを確定することとを含み、
前記第２の対応関係は、少なくとも１つの端末デバイスレベルと少なくとも１つの確率範囲と少なくとも１つの基本パラメータセットとの対応関係を示す
ことを特徴とする請求項４又は５に記載のランダムアクセスのための方法。
【請求項８】
前記第１のデバイスが前記第１の基本パラメータセットを確定することは、
前記第１のデバイスが前記ランダム関数に基づいて、第３の確率値を取得することと、
第３の対応関係、前記第３の確率値及び前記端末デバイスの伝送するサービスのサービス情報が示すサービス品質レベルに基づいて、前記第１の基本パラメータセットを確定することとを含み、
前記第３の対応関係は、少なくとも１つのサービス品質レベルと少なくとも１つの確率範囲と少なくとも１つの基本パラメータセットとの対応関係を示す
ことを特徴とする請求項４又は５に記載のランダムアクセスのための方法。
【請求項９】
前記端末デバイスの伝送するサービスのサービス情報は、
伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つを示す
ことを特徴とする請求項４又は５に記載のランダムアクセスのための方法。
【請求項１０】
前記第１のデバイスが前記第１の基本パラメータセットを確定することは、
前記第１のデバイスが伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つと、第４の対応関係とに基づいて、前記第１の基本パラメータセットを確定することを含み、
前記第４の対応関係は、少なくとも１つのサービス品質レベル、少なくとも１つの遅延要求、少なくとも１つのデータ量の範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つの基本パラメータセットとの対応関係を示す
ことを特徴とする請求項４、５又は９に記載のランダムアクセスのための方法。
【請求項１１】
前記第１のデバイスがページングメッセージに基づいて、伝送するサービスのサービス情報を取得することをさらに含む
ことを特徴とする請求項４、５、９又は１０に記載のランダムアクセスのための方法。
【請求項１２】
前記ランダムアクセス過程のトリガ要因は、
前記端末デバイスが初期アクセスを要求すること、 
前記端末デバイスがアイドル状態から連続状態に切り替えること、
前記端末デバイスが上り同期を要求すること、 
前記端末デバイスがネットワークデバイスに端末デバイス識別子を要求すること、
前記端末デバイスがネットワークデバイスにリソースを要求すること、 
前記端末デバイスがセルハンドオーバを行うこと、及び
前記端末デバイスの無線リンク失敗が発生することのいずれかである
ことを特徴とする請求項４又は５に記載のランダムアクセスのための方法。
【請求項１３】
前記第１のデバイスが前記第１の基本パラメータセットを確定することは、
前記第１のデバイスが前記ランダムアクセス過程のトリガ要因及び第５の対応関係に基づいて、前記第１の基本パラメータセットを確定することを含み、
前記第５の対応関係は、ランダムアクセス過程の少なくとも１つのトリガ要因と少なくとも１つの基本パラメータセットとの対応関係を示す
ことを特徴とする請求項４、５又は１２に記載のランダムアクセスのための方法。
【請求項１４】
前記第１のデバイスが前記第１の基本パラメータセットを確定することは、
前記第１のデバイスが第６の対応関係、及び前記端末デバイスとネットワークデバイスとの現在リンク品質値に基づいて、前記第１の基本パラメータセットを確定することを含み、
前記第６の対応関係は、少なくとも１つのリンク品質値と少なくとも１つの基本パラメータセットとの対応関係を示す
ことを特徴とする請求項４又は５に記載のランダムアクセスのための方法。
【請求項１５】
前記第１のデバイスが前記第１の基本パラメータセットを確定することは、
前記第１のデバイスが第７の対応関係及び前記端末デバイスの現在の所在位置の情報が示す位置に基づいて、前記第１の基本パラメータセットを確定することを含み、
前記第７の対応関係は、少なくとも１つの位置と少なくとも１つの基本パラメータセットとの対応関係を示す
ことを特徴とする請求項４又は５に記載のランダムアクセスのための方法。
【請求項１６】
前記端末デバイスの現在の所在位置の情報は、前記端末デバイスの現在の所在セル、トラッキングエリア、ページングエリア又はサービスエリアを示す
ことを特徴とする請求項４、５又は１５に記載のランダムアクセスのための方法。
【請求項１７】
前記第１のデバイスが前記第１の基本パラメータセットを確定することは、
前記第１のデバイスが第８の対応関係及び前記ランダムアクセス過程の実行時間に基づいて、前記第１の基本パラメータセットを確定することを含み、
前記第８の対応関係は、少なくとも１つの時間範囲と少なくとも１つの基本パラメータセットとの対応関係を示す
ことを特徴とする請求項４又は５に記載のランダムアクセスのための方法。
【請求項１８】
前記第１のデバイスが前記第１の基本パラメータセットを確定することは、
前記第１のデバイスが第９の対応関係及び前記第１のメッセージの伝送に使用するリソースに基づいて、前記第１の基本パラメータセットを確定することを含み、
前記第９の対応関係は、少なくとも１つのリソース範囲と少なくとも１つの基本パラメータセットとの対応関係を示す
ことを特徴とする請求項４又は５に記載のランダムアクセスのための方法。
【請求項１９】
前記第１のデバイスが前記第１の基本パラメータセットを確定することは、
前記第１のデバイスが第１０の対応関係、及び前記第１のメッセージの伝送に使用するリソースの所在の周波数帯又は前記端末デバイスがサポートする周波数バンドに基づいて、前記第１の基本パラメータセットを確定することを含み、
前記第１０の対応関係は、少なくとも１つの周波数帯と少なくとも１つの基本パラメータセットとの対応関係を示す
ことを特徴とする請求項４又は５に記載のランダムアクセスのための方法。
【請求項２０】
前記第１のデバイスがランダムアクセスのための第１の基本パラメータセットを確定することは、
前記第１のデバイスが第１１の対応関係及び前記ランダムアクセス過程の実行に使用するランダムアクセス方式に基づいて、前記第１の基本パラメータセットを確定することを含み、
前記第１１の対応関係は、少なくとも１つのランダムアクセス方式と少なくとも１つの基本パラメータセットとの対応関係を示す
ことを特徴とする請求項４又は５に記載のランダムアクセスのための方法。
【請求項２１】
異なるランダムアクセス方式を利用して実行するランダムアクセス過程において、送受信するメッセージの数及び／又は送受信するメッセージに含まれる情報は、異なる
ことを特徴とする請求項４、５又は２０に記載のランダムアクセスのための方法。
【請求項２２】
前記第１のデバイスがランダムアクセスのための第１の基本パラメータセットを確定することは、
前記第１のデバイスが前記ランダムアクセス過程の履歴メッセージが使用する基本パラメータセット、又は前記ランダムアクセス過程の履歴メッセージに含まれる情報が示す基本パラメータセットを、前記第１の基本パラメータセットとして確定することを含む
ことを特徴とする請求項４又は５に記載のランダムアクセスのための方法。
【請求項２３】
前記第１のデバイスがランダムアクセスのための第１の基本パラメータセットを確定することは、
前記第１のデバイスが過去ランダムアクセス過程に伝送されるメッセージが使用する基本パラメータセットを、前記第１の基本パラメータセットとして確定することを含む
ことを特徴とする請求項４又は５に記載のランダムアクセスのための方法。
【請求項２４】
前記第１のメッセージは、前記端末デバイスが前記ネットワークデバイスに送信するメッセージであり、前記第１のデバイスが前記端末デバイスであり、
前記第１のデバイスがランダムアクセスのための第１の基本パラメータセットを確定することは、
前記端末デバイスは、前記ランダムアクセス過程において、複数回に選択された基本パラメータセットを利用して前記第１のメッセージを送信してから、前記アクセスネットワークデバイスからの前記第１のメッセージに対する応答メッセージを受信しない場合、予め設定された基本パラメータセット又は過去ランダムアクセス過程に使用された基本パラメータセットを、前記第１の基本パラメータセットとして確定することを含む
ことを特徴とする請求項４又は５に記載のランダムアクセスのための方法。
【請求項２５】
前記過去ランダムアクセス過程は、前回に成功アクセスしたランダムアクセス過程、又は、前回のランダムアクセス過程である
ことを特徴とする請求項２３又は２４に記載のランダムアクセスのための方法。
【請求項２６】
前記第１のメッセージは、ネットワークデバイスが端末デバイスに送信するメッセージであり、前記第１のメッセージは、さらに、データ伝送のための第２の基本パラメータセットを示し、
前記方法は、さらに、
前記第１のデバイスが前記第２の基本パラメータに基づいて、前記第２のデバイスとデータ伝送することを含む
ことを特徴とする請求項３〜２５のいずれか１項に記載のランダムアクセスのための方法。
【請求項２７】
ランダムアクセス過程に伝送される第１のメッセージが使用する第１の基本パラメータセットを確定するように構成される確定ユニットと、
前記第１の基本パラメータセットを使用して、第２のデバイスに前記第１のメッセージを送信し、又は、前記第２のデバイスにより送信された前記第１のメッセージを受信するように構成される送受信ユニットと、を含む
ことを特徴とするランダムアクセスのためのデバイス。
【請求項２８】
前記ランダムアクセスのための第１のメッセージは、４つのステップのランダムアクセス過程に伝送されるメッセージ、又は２つのステップのランダムアクセス過程に伝送されるメッセージである
ことを特徴とする請求項２７に記載のランダムアクセスのためのデバイス。
【請求項２９】
前記デバイスが端末デバイスであり、前記第２のデバイスがアクセスネットワークデバイスであり、又は、
前記デバイスがアクセスネットワークデバイスであり、前記第２のデバイスが端末デバイスである
ことを特徴とする請求項２７又は２８に記載のランダムアクセスのためのデバイス。
【請求項３０】
前記確定ユニットは、さらに、
予め設定された多種の基本パラメータセット、
ランダム関数、
前記端末デバイスのレベル情報、
前記端末デバイスと前記アクセスネットワークデバイスとの現在リンク品質値、
前記端末デバイスの現在の所在位置の情報、
前記ランダムアクセス過程の実行時間、
前記端末デバイスの伝送するサービスの情報、
前記ランダムアクセス過程のトリガ要因、
前記第１のメッセージの伝送に使用するリソース、
前記第１のメッセージの伝送に使用する周波数領域リソースの所在の周波数帯、
前記端末デバイスがサポートする基本パラメータセット、
前記端末デバイスがサポートする周波数バンド、
前記ランダムアクセス過程の実行時に使用するランダムアクセス方式、
前記第１のメッセージの前の履歴メッセージに含まれる基本パラメータセットを示すための情報、及び
前記第１のメッセージの前の履歴メッセージが使用する基本パラメータセットのうちの少なくとも１つの情報に基づいて、前記第１の基本パラメータセットを確定するように構成される
ことを特徴とする請求項２９に記載のランダムアクセスのためのデバイス。
【請求項３１】
前記確定ユニットは、さらに、
前記予め設定された多種の基本パラメータセットから、前記第１の基本パラメータセットを選択するように構成される
ことを特徴とする請求項３０に記載のランダムアクセスのためのデバイス。
【請求項３２】
前記確定ユニットは、さらに、
前記ランダム関数に基づいて、第１の確率値を取得し、
第１の対応関係及び前記第１の確率値に基づいて、前記第１の基本パラメータセットを確定するように構成され、
前記第１の対応関係は、少なくとも１つの確率範囲と少なくとも１つの基本パラメータセットとの対応関係を示す
ことを特徴とする請求項３０又は３１に記載のランダムアクセスのためのデバイス。
【請求項３３】
前記確定ユニットは、さらに、
前記ランダム関数に基づいて、第２の確率値を取得し、
第２の対応関係、前記第２の確率値及び前記端末デバイスのレベル情報が示すレベルに基づいて、前記第１の基本パラメータセットを確定するように構成され、
前記第２の対応関係は、少なくとも１つの端末デバイスレベルと少なくとも１つの確率範囲と少なくとも１つの基本パラメータセットとの対応関係を示す
ことを特徴とする請求項３０又は３１に記載のランダムアクセスのためのデバイス。
【請求項３４】
前記確定ユニットは、さらに、
前記ランダム関数に基づいて、第３の確率値を取得し、
第３の対応関係、前記第３の確率値及び前記端末デバイスの伝送するサービスのサービス情報が示すサービス品質レベルに基づいて、前記第１の基本パラメータセットを確定するように構成され、
前記第３の対応関係は、少なくとも１つのサービス品質レベルと少なくとも１つの確率範囲と少なくとも１つの基本パラメータセットとの対応関係を示す
ことを特徴とする請求項３０又は３１に記載のランダムアクセスのためのデバイス。
【請求項３５】
前記端末デバイスの伝送するサービスのサービス情報は、
伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つを示す
ことを特徴とする請求項３０又は３１に記載のランダムアクセスのためのデバイス。
【請求項３６】
前記確定ユニットは、さらに、
伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つと、第４の対応関係とに基づいて、前記第１の基本パラメータセットを確定するように構成され、
前記第４の対応関係は、少なくとも１つのサービス品質レベル、少なくとも１つの遅延要求、少なくとも１つのデータ量の範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つの基本パラメータセットとの対応関係を示す
ことを特徴とする請求項３０、３１又は３５に記載のランダムアクセスのためのデバイス。
【請求項３７】
前記確定ユニットは、さらに、
ページングメッセージに基づいて、伝送するサービスのサービス情報を取得するように構成される
ことを特徴とする請求項３０、３１、３５又は３６に記載のランダムアクセスのためのデバイス。
【請求項３８】
前記ランダムアクセス過程のトリガ要因は、
前記端末デバイスが初期アクセスを要求すること、 
前記端末デバイスがアイドル状態から連続状態に切り替えること、
前記端末デバイスが上り同期を要求すること、 
前記端末デバイスがネットワークデバイスに端末デバイス識別子を要求すること、
前記端末デバイスがネットワークデバイスにリソースを要求すること、 
前記端末デバイスがセルハンドオーバを行うこと、及び
前記端末デバイスの無線リンク失敗が発生することのいずれかである
ことを特徴とする請求項３０又は３１に記載のランダムアクセスのためのデバイス。
【請求項３９】
前記確定ユニットは、さらに、
前記ランダムアクセス過程のトリガ要因及び第５の対応関係に基づいて、前記第１の基本パラメータセットを確定するように構成され、
前記第５の対応関係は、ランダムアクセス過程の少なくとも１つのトリガ要因と少なくとも１つの基本パラメータセットとの対応関係を示す
ことを特徴とする請求項３０、３１又は３８に記載のランダムアクセスのためのデバイス。
【請求項４０】
前記確定ユニットは、さらに、
第６の対応関係、及び前記端末デバイスとネットワークデバイスとの現在リンク品質値に基づいて、前記第１の基本パラメータセットを確定するように構成され、
前記第６の対応関係は、少なくとも１つのリンク品質値と少なくとも１つの基本パラメータセットとの対応関係を示す
ことを特徴とする請求項３０又は３１に記載のランダムアクセスのためのデバイス。
【請求項４１】
前記確定ユニットは、さらに、
第７の対応関係及び前記端末デバイスの現在の所在位置の情報が示す位置に基づいて、前記第１の基本パラメータセットを確定するように構成され、
前記第７の対応関係は、少なくとも１つの位置と少なくとも１つの基本パラメータセットとの対応関係を示す
ことを特徴とする請求項３０又は３１に記載のランダムアクセスのためのデバイス。
【請求項４２】
前記端末デバイスの現在の所在位置の情報は、前記端末デバイスの現在の所在セル、トラッキングエリア、ページングエリア又はサービスエリアを示す
ことを特徴とする請求項３０、３１又は４１に記載のランダムアクセスのためのデバイス。
【請求項４３】
前記確定ユニットは、さらに、
第８の対応関係及び前記ランダムアクセス過程の実行時間に基づいて、前記第１の基本パラメータセットを確定するように構成され、
前記第８の対応関係は、少なくとも１つの時間範囲と少なくとも１つの基本パラメータセットとの対応関係を示す
ことを特徴とする請求項３０又は３１に記載のランダムアクセスのためのデバイス。
【請求項４４】
前記確定ユニットは、さらに、
第９の対応関係及び前記第１のメッセージの伝送に使用するリソースに基づいて、前記第１の基本パラメータセットを確定するように構成され、
前記第９の対応関係は、少なくとも１つのリソース範囲と少なくとも１つの基本パラメータセットとの対応関係を示す
ことを特徴とする請求項３０又は３１に記載のランダムアクセスのためのデバイス。
【請求項４５】
前記確定ユニットは、さらに、
第１０の対応関係、及び前記第１のメッセージの伝送に使用するリソースの所在の周波数帯又は前記端末デバイスがサポートする周波数バンドに基づいて、前記第１の基本パラメータセットを確定するように構成され、
前記第１０の対応関係は、少なくとも１つの周波数帯と少なくとも１つの基本パラメータセットとの対応関係を示す
ことを特徴とする請求項３０又は３１に記載のランダムアクセスのためのデバイス。
【請求項４６】
前記確定ユニットは、さらに、
第１１の対応関係及び前記ランダムアクセス過程の実行に使用するランダムアクセス方式に基づいて、前記第１の基本パラメータセットを確定するように構成され、
前記第１１の対応関係は、少なくとも１つのランダムアクセス方式と少なくとも１つの基本パラメータセットとの対応関係を示す
ことを特徴とする請求項３０又は３１に記載のランダムアクセスのためのデバイス。
【請求項４７】
異なるランダムアクセス方式を利用して実行するランダムアクセス過程において、送受信するメッセージの数及び／又は送受信するメッセージに含まれる情報は、異なる
ことを特徴とする請求項３０、３１又は４６に記載のランダムアクセスのためのデバイス。
【請求項４８】
前記確定ユニットは、さらに、
前記ランダムアクセス過程の履歴メッセージが使用する基本パラメータセット、又は、前記ランダムアクセス過程の履歴メッセージに含まれる情報が示す基本パラメータセットを、前記第１の基本パラメータセットとして確定するように構成され
ことを特徴とする請求項３０又は３１に記載のランダムアクセスのためのデバイス。
【請求項４９】
前記確定ユニットは、さらに、
過去ランダムアクセス過程に伝送されるメッセージが使用する基本パラメータセットを、前記第１の基本パラメータセットとして確定するように構成される
ことを特徴とする請求項３０又は３１に記載のランダムアクセスのためのデバイス。
【請求項５０】
前記第１のメッセージは、前記端末デバイスは前記ネットワークデバイスに送信するメッセージであり、前記デバイスが前記端末デバイスであり、
前記確定ユニットは、さらに、
前記ランダムアクセス過程において、複数回に選択された基本パラメータセットを利用して前記第１のメッセージを送信してから、前記アクセスネットワークデバイスからの前記第１のメッセージに対する応答メッセージを受信しない場合、前記端末デバイスが予め設定された基本パラメータセット又は過去ランダムアクセス過程に使用された基本パラメータセットを、前記第１の基本パラメータセットとして確定するように構成される
ことを特徴とする請求項３０又は３１に記載のランダムアクセスのためのデバイス。
【請求項５１】
前記過去ランダムアクセス過程は、前回に成功アクセスしたランダムアクセス過程、又は、前回のランダムアクセス過程である
ことを特徴とする請求項４９又は５０に記載のランダムアクセスのためのデバイス。
【請求項５２】
前記第１のメッセージは、ネットワークデバイスが端末デバイスに送信するメッセージであり、
前記第１のメッセージは、さらに、データ伝送のための第２の基本パラメータセットを示し、
前記送受信ユニットは、さらに、前記第２の基本パラメータに基づいて、前記第２のデバイスとデータ通信するように構成される
ことを特徴とする請求項２９〜５１のいずれか１項に記載のランダムアクセスのためのデバイス。
【発明の詳細な説明】
【技術分野】
【０００１】
本願は、通信分野に関し、具体的に、ランダムアクセスのための方法及びデバイスに関する。
【背景技術】
【０００２】
ランダムアクセスは、セルラシステムに備える基本機能であり、端末デバイスとネットワークとの通信接続の確立を実現することができ、ランダムアクセスの成功率は、ランダムアクセスのプロセスが順調に完成するかどうかに依頼する。
【０００３】
無線通信技術の発展に伴い、無線環境がより複雑になり、より柔軟なランダムアクセス過程が必要である。
【０００４】
より柔軟なランダムアクセスをどのように実現することは、解決しようとする課題である。
【発明の概要】
【０００５】
本願の実施例は、柔軟なランダムアクセスを実現することができるランダムアクセスのための方法及びデバイスを提供する。
【０００６】
第１の形態は、ランダムアクセスのための方法を提供し、
第１のデバイスがランダムアクセス過程に伝送される第１のメッセージが使用する第１の基本パラメータセットを確定することと、
前記第１の基本パラメータセットを利用して、前記第１のデバイスが第２のデバイスに前記第１のメッセージを送信し、又は前記第２のデバイスにより送信された前記第１のメッセージを受信することとを含む。
【０００７】
第１の形態と結合し、その実現可能な方式において、前記ランダムアクセスのための第１のメッセージは、４つのステップのランダムアクセス過程に伝送されるメッセージ、又は２つのステップのランダムアクセス過程に伝送されるメッセージである。
【０００８】
第１の形態又はその実現可能な方式と結合し、その他の実現可能な方式において、前記第１のデバイスが端末デバイスであり、前記第２のデバイスがアクセスネットワークデバイスであり、又は、
前記第１のデバイスがアクセスネットワークデバイスであり、前記第２のデバイスが端末デバイスである。
【０００９】
第１の形態又はその実現可能な方式と結合し、その他の実現可能な方式において、前記第１のデバイスがランダムアクセスのための第１のメッセージの伝送に使用する第１の基本パラメータセットを確定することは、
予め設定された多種の基本パラメータセット、
ランダム関数、
前記端末デバイスのレベル情報、
前記端末デバイスと前記アクセスネットワークデバイスとの現在リンク品質値、
前記端末デバイスの現在の所在位置の情報、
前記ランダムアクセス過程の実行時間、
前記端末デバイスの伝送するサービスの情報、
前記ランダムアクセス過程のトリガ要因、
前記第１のメッセージの伝送に使用するリソース、
前記第１のメッセージの伝送に使用する周波数領域リソースの所在の周波数帯、
前記端末デバイスがサポートする基本パラメータセット、
前記端末デバイスがサポートする周波数バンド、
前記ランダムアクセス過程の実行時に使用するランダムアクセス方式、
前記第１のメッセージの前の履歴メッセージに含まれる基本パラメータセットを示すための情報、
及び前記第１のメッセージの前の履歴メッセージが使用する基本パラメータセットのうちの少なくとも１つの情報に基づいて、前記第１のデバイスが前記第１の基本パラメータセットを確定する。
【００１０】
第１の形態又はその実現可能な方式と結合し、その他の実現可能な方式において、前記第１のデバイスが前記第１の基本パラメータセットを確定することは、
前記第１のデバイスが前記予め設定された多種の基本パラメータセットから、前記第１の基本パラメータセットを選択することを含む。
【００１１】
第１の形態又はその実現可能な方式と結合し、その他の実現可能な方式において、前記第１のデバイスが前記第１の基本パラメータセットを確定することは、
前記第１のデバイスが前記ランダム関数に基づいて、第１の確率値を取得することと、
第１の対応関係及び前記第１の確率値に基づいて、前記第１の基本パラメータセットを確定することとを含み、
前記第１の対応関係は、少なくとも１つの確率範囲と少なくとも１つの基本パラメータセットとの対応関係を示す。
【００１２】
第１の形態又はその実現可能な方式と結合し、その他の実現可能な方式において、前記第１のデバイスが前記第１の基本パラメータセットを確定することは、
前記第１のデバイスが前記ランダム関数に基づいて、第２の確率値を取得することと、
第２の対応関係、前記第２の確率値及び前記端末デバイスのレベル情報が示すレベルに基づいて、前記第１の基本パラメータセットを確定することとを含み、
前記第２の対応関係は、少なくとも１つの端末デバイスレベルと少なくとも１つの確率範囲と少なくとも１つの基本パラメータセットとの対応関係を示す。
【００１３】
第１の形態又はその実現可能な方式と結合し、その他の実現可能な方式において、前記第１のデバイスが前記第１の基本パラメータセットを確定することは、
前記第１のデバイスが前記ランダム関数に基づいて、第３の確率値を取得することと、
第３の対応関係、前記第３の確率値及び前記端末デバイスの伝送するサービスのサービス情報が示すサービス品質レベルに基づいて、前記第１の基本パラメータセットを確定することとを含み、
前記第３の対応関係は、少なくとも１つのサービス品質レベルと少なくとも１つの確率範囲と少なくとも１つの基本パラメータセットとの対応関係を示す。
【００１４】
第１の形態又はその実現可能な方式と結合し、その他の実現可能な方式において、前記端末デバイスの伝送するサービスのサービス情報は、
伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つを示す。
【００１５】
第１の形態又はその実現可能な方式と結合し、その他の実現可能な方式において、前記第１のデバイスが前記第１の基本パラメータセットを確定することは、
前記第１のデバイスが伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つと、第４の対応関係とに基づいて、前記第１の基本パラメータセットを確定することを含み、
前記第４の対応関係は、少なくとも１つのサービス品質レベル、少なくとも１つの遅延要求、少なくとも１つのデータ量の範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つの基本パラメータセットとの対応関係を示す。
【００１６】
第１の形態又はその実現可能な方式と結合し、その他の実現可能な方式において、前記方法は、さらに、
前記第１のデバイスがページングメッセージに基づいて、伝送するサービスのサービス情報を取得することを含む。
【００１７】
第１の形態又はその実現可能な方式と結合し、その他の実現可能な方式において、前記ランダムアクセス過程のトリガ要因は、
前記ランダムアクセス過程のトリガ要因は、
前記端末デバイスが初期アクセスを要求すること、 
前記端末デバイスがアイドル状態から連続状態に切り替えること、
前記端末デバイスが上り同期を要求すること、 
前記端末デバイスがネットワークデバイスに端末デバイス識別子を要求すること、
前記端末デバイスがネットワークデバイスにリソースを要求すること、 
前記端末デバイスがセルハンドオーバを行うこと、
及び前記端末デバイスの無線リンク失敗が発生することのいずれかである。
【００１８】
第１の形態又はその実現可能な方式と結合し、その他の実現可能な方式において、前記第１のデバイスが前記第１の基本パラメータセットを確定することは、
前記第１のデバイスが前記ランダムアクセス過程のトリガ要因及び第５の対応関係に基づいて、前記第１の基本パラメータセットを確定することを含み
前記第５の対応関係は、ランダムアクセス過程の少なくとも１つのトリガ要因と少なくとも１つの基本パラメータセットとの対応関係を示す。
【００１９】
第１の形態又はその実現可能な方式と結合し、その他の実現可能な方式において、前記第１のデバイスが前記第１の基本パラメータセットを確定することは、
前記第１のデバイスが第６の対応関係、及び前記端末デバイスとネットワークデバイスとの現在リンク品質値に基づいて、前記第１の基本パラメータセットを確定することを含み、
前記第６の対応関係は、少なくとも１つのリンク品質値と少なくとも１つの基本パラメータセットとの対応関係を示す。
【００２０】
第１の形態又はその実現可能な方式と結合し、その他の実現可能な方式において、前記第１のデバイスが前記第１の基本パラメータセットを確定することは、
前記第１のデバイスが第７の対応関係及び前記端末デバイスの現在の所在位置の情報が示す位置に基づいて、前記第１の基本パラメータセットを確定することを含み、
前記第７の対応関係は、少なくとも１つの位置と少なくとも１つの基本パラメータセットとの対応関係を示す。
【００２１】
第１の形態又はその実現可能な方式と結合し、その他の実現可能な方式において、前記端末デバイスの現在の所在位置の情報は、前記端末デバイスの現在の所在セル、トラッキングエリア、ページングエリア又はサービスエリアを示す。
【００２２】
第１の形態又はその実現可能な方式と結合し、その他の実現可能な方式において、前記第１のデバイスが前記第１の基本パラメータセットを確定することは、
前記第１のデバイスが第８の対応関係及び前記ランダムアクセス過程の実行時間に基づいて、前記第１の基本パラメータセットを確定することを含み、
前記第８の対応関係は、少なくとも１つの時間範囲と少なくとも１つの基本パラメータセットとの対応関係を示す。
【００２３】
第１の形態又はその実現可能な方式と結合し、その他の実現可能な方式において、前記第１のデバイスが前記第１の基本パラメータセットを確定することは、
前記第１のデバイスが第９の対応関係及び前記第１のメッセージの伝送に使用するリソースに基づいて、前記第１の基本パラメータセットを確定することを含み、
前記第９の対応関係は、少なくとも１つのリソース範囲と少なくとも１つの基本パラメータセットとの対応関係を示す。
【００２４】
第１の形態又はその実現可能な方式と結合し、その他の実現可能な方式において、前記第１のデバイスが前記第１の基本パラメータセットを確定することは、
前記第１のデバイスが第１０の対応関係、及び前記第１のメッセージの伝送に使用するリソースの所在の周波数帯又は前記端末デバイスがサポートする周波数バンドに基づいて、前記第１の基本パラメータセットを確定することを含み、
前記第１０の対応関係は、少なくとも１つの周波数帯と少なくとも１つの基本パラメータセットとの対応関係を示す。
【００２５】
第１の形態又はその実現可能な方式と結合し、その他の実現可能な方式において、前記第１のデバイスがランダムアクセスのための第１の基本パラメータセットを確定することは、
前記第１のデバイスが第１１の対応関係及び前記ランダムアクセス過程の実行に使用するランダムアクセス方式に基づいて、前記第１の基本パラメータセットを確定することを含み、
前記第１１の対応関係は、少なくとも１つのランダムアクセス方式と少なくとも１つの基本パラメータセットとの対応関係を示す。
【００２６】
第１の形態又はその実現可能な方式と結合し、その他の実現可能な方式において、異なるランダムアクセス方式を利用して実行するランダムアクセス過程において、送受信するメッセージの数及び／又は送受信するメッセージに含まれる情報は、異なる。
【００２７】
第１の形態又はその実現可能な方式と結合し、その他の実現可能な方式において、前記第１のデバイスがランダムアクセスのための第１の基本パラメータセットを確定することは、
前記第１のデバイスが前記ランダムアクセス過程の履歴メッセージが使用する基本パラメータセット、又は前記ランダムアクセス過程の履歴メッセージに含まれる情報が示す基本パラメータセットを、前記第１の基本パラメータセットとして確定することを含む。
【００２８】
第１の形態又はその実現可能な方式と結合し、その他の実現可能な方式において、前記第１のデバイスがランダムアクセスのための第１の基本パラメータセットを確定することは、
前記第１のデバイスが過去ランダムアクセス過程に伝送されるメッセージが使用する基本パラメータセットを、前記第１の基本パラメータセットとして確定することを含む。
【００２９】
第１の形態又はその実現可能な方式と結合し、その他の実現可能な方式において、前記第１のメッセージは、前記端末デバイスが前記ネットワークデバイスに送信するメッセージであり、前記第１のデバイスが前記端末デバイスであり、前記第１のデバイスがランダムアクセスのための第１の基本パラメータセットを確定することは、
前記端末デバイスは、前記ランダムアクセス過程において、複数回に選択された基本パラメータセットを利用して前記第１のメッセージを送信してから、前記アクセスネットワークデバイスからの前記第１のメッセージに対する応答メッセージを受信しない場合、予め設定された基本パラメータセット又は過去ランダムアクセス過程に使用された基本パラメータセットを、前記第１の基本パラメータセットとして確定することを含む。
【００３０】
第１の形態又はその実現可能な方式と結合し、その他の実現可能な方式において、前記過去ランダムアクセス過程は、前回に成功アクセスしたランダムアクセス過程、又は、前回のランダムアクセス過程である。
【００３１】
第１の形態又はその実現可能な方式と結合し、その他の実現可能な方式において、前記第１のメッセージは、ネットワークデバイスが端末デバイスに送信するメッセージであり、前記第１のメッセージは、さらに、データ伝送のための第２の基本パラメータセットを示し、
前記方法は、さらに、
前記第１のデバイスが前記第２の基本パラメータに基づいて、前記第２のデバイスとデータ伝送することを含む。
【００３２】
第２の形態は、第１の形態又はその選択可能な実現方式の方法を実行するユニットを含むランダムアクセスのためのデバイスを提供する。
【００３３】
第３の形態は、メモリ及びプロセッサを含むランダムアクセスのためのデバイスを提供し、当該メモリは、命令を記憶し、当該メモリは、メモリに記憶された命令を呼び出して第１の形態又はその選択可能な実現方式の方法を実行する。
【００３４】
第４の形態は、コンピュータ読み取り可能な記憶媒体を提供し、前記コンピュータ読み取り可能な記憶媒体は、端末デバイスが実行するプログラムコードを記憶し、前記プログラムコードは、第１の形態又はその選択可能な実現方式の方法を実行するための命令を含む。
【００３５】
第５の形態は、システムチップを提供し、当該システムチップは、入力インタフェース、出力インタフェース、プロセッサ及びメモリを含み、当該プロセッサは、当該メモリ内のコードを実行し、当該コードが実行される場合、当該プロセッサは、第１の形態又はその選択可能な実現方式の方法を実現する。
【００３６】
そして、本願の実施例において、端末デバイスは、ランダムアクセス過程を行う時に、基本パラメータセットを選択することができ、ランダムアクセスを柔軟に実行する。
【図面の簡単な説明】
【００３７】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例におけるランダムアクセスのための方法のフローチャートである。
【図３】本願の実施例における４つのステップのランダムアクセス過程のフローチャートである。
【図４】本願の実施例における２つのステップのランダムアクセス過程のフローチャートである。
【図５】本願の実施例におけるランダムアクセスのためのデバイスのブロック図である。
【図６】本願の実施例におけるランダムアクセスのためのデバイスのブロック図である。
【図７】本願の実施例におけるランダムアクセスのためのデバイスのブロック図である。
【発明を実施するための形態】
【００３８】
以下に本発明の実施例の図面を組み合わせながら、本発明の実施例に係る技術的解決策を明確に、全面的に説明し、明らかに、説明した実施例は本発明の一部の実施例に過ぎず、全ての実施例ではない。本発明の実施例に基づき、当業者が創造的な労力を要せずに得た他の実施例は、全て本発明の保護範囲に属する。
【００３９】
以下に本発明の実施例の図面を組み合わせながら、本発明の実施例に係る技術的解決策を説明し、明らかに、説明した実施例は本発明の一部の実施例に過ぎず、全ての実施例ではない。本発明の実施例に基づき、当業者が創造的な労力を要せずに得た他の実施例は、全て本発明の保護範囲に属する。
【００４０】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時間分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓｓ）通信システム、又は未来の５Ｇシステムなどに応用されることができる。
【００４１】
図１は本発明の実施例に応用される無線通信システム１００を示す。当該無線通信システム１００は、ネットワークデバイス１１０を含む。ネットワークデバイス１１０は、端末デバイスに接続する通信デバイスであっても良い。各ネットワークデバイス１００は、特定の地理エリアに通信カバーを提供し、さらに、当該カバーエリア内にある端末デバイス（例えばＵＥ）と通信することができる。当該ネットワークデバイス１００は、ＧＳＭシステム又はＣＤＭＡシステムの基地局（ＢＴＳ：Ｂａｓｅ  Ｔｒａｎｓｃｅｉｖｅｒ  Ｓｔａｔｉｏｎ）、ＷＣＤＭＡシステムの基地局（ＮｏｄｅＢ）、ＬＴＥシステムの基地局（Ｅｖｏｌｕｔｉｏｎａｌ  Ｎｏｄｅ  Ｂ、ｅＮＢ又はｅＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）の無線コントローラ、中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良い。
【００４２】
当該無線通信システム１００は、さらに、ネットワークデバイス１１０のカバー範囲にある少なくとも１つの端末デバイス１２０を含む。当該端末デバイス１２０は、移動又は固定されたものである。当該端末デバイス１２０は、アクセス端末、ユーザー装置（ＵＥ：Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良い。
【００４３】
選択可能で、５Ｇシステム又はネットワークは、新しいラジオ（ＮＲ：ＮｅｗＲａｄｉｏ）システム又はネットワークとも呼ぶ。
【００４４】
本願の実施例の基本パラメータセットは、以下のパラメータの少なくとも１つを含み、
サブキャリア間隔、特定の帯域幅でのサブキャリア数、物理リソースブロックＰＲＢ内のサブキャリア数、直交周波数分割多重ＯＦＤＭ符号の長さ、ＯＦＤＭ信号の生成に使用されるフーリエ変換、例えば高速フーリエ変換（ＦＦＴ：Ｆａｓｔ  Ｆｏｕｒｉｅｒ  Ｔｒａｎｓｆｏｒｍ）、逆フーリエ変換、例えば高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）のポイント数、伝送時間間隔ＴＴＩ内のＯＦＤＭ符号数、特定時間内に含まれるＴＴＩの個数及び信号プレフィクスの長さである。
【００４５】
ここで、サブキャリア間隔は、隣接するサブキャリアの周波数間隔、例えば、１５ｋＨｚ、６０ｋＨｚ等であり、特定の帯域幅でのサブキャリア数は、例えば各の可能なシステム帯域幅に対応するサブキャリア数であり、ＰＲＢに含まれるサブキャリア数は、典型的には、１２の整数倍であり、ＴＴＩに含まれるＯＦＤＭ符号の数は、典型的には、１４の整数倍であり、一定の時間ユニットに含まれるＴＴＩ数は、例えば、１ｍｓ又は１０ｍｓの時間に含まれるＴＴＩ数であり、信号プレフィクス長さは、例えば信号のサイクリックプレフィクスの時間長さ、又はサイクリックプレフィクスが通用ＣＰ又は拡張ＣＰを使用するか等である。
【００４６】
図１は、１つのネットワークデバイス及び２つの端末デバイスを示し、選択可能で、当該無線通信システム１００は、複数のネットワークデバイスを含み、各ネットワークデバイスのカバー範囲に他の数の端末デバイスがあるが、本願の実施例はこれに限定しない。
【００４７】
選択可能で、当該無線通信システム１００は、さらに、ネットワークコントローラ、ビリティマネッジメントエンティティ他のネットワークエンティティを含むが、本願の実施例はこれを限定しない。
【００４８】
なお、本明細書に記載される「システム」及び「ネットワーク」という単語は交換可能に使用される。本明細書に記載される「及び／又は」、関連対象の関連関係を説明するものに限られ、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【００４９】
図２は本願の実施例におけるランダムアクセスのための方法２００のフローチャートである。当該方法２００は、図１の端末デバイスが実行しても良いし、図１のネットワークデバイスが実行してもよい。
【００５０】
図２に示すように、当該方法２００は、２１０を及び２２０を含む。
【００５１】
２１０において、第１のデバイスがランダムアクセス過程に伝送される第１のメッセージが使用する第１の基本パラメータセットを確定する。
【００５２】
２２０において、前記第１の基本パラメータセットを利用して、前記第１のデバイスが第２のデバイスに前記第１のメッセージを送信し、又は前記第２のデバイスにより送信された前記第１のメッセージを受信する。
【００５３】
選択可能で、前記第１のデバイスが端末デバイスであり、前記第２のデバイスがアクセスネットワークデバイスであり、又は、前記第１のデバイスがアクセスネットワークデバイスであり、前記第２のデバイスが端末デバイスである。
【００５４】
選択可能で、前記ランダムアクセスのための第１のメッセージは、４つのステップのランダムアクセス過程に伝送されるメッセージ、又は２つのステップのランダムアクセス過程に伝送されるメッセージである。
【００５５】
以下、図３に示す方法３００及び図４に示す方法４００を参照し、本願の実施例の４つのステップのランダムアクセス過程及び２つのステップのランダムアクセス過程を説明する。
【００５６】
図３に示すように、当該方法３００に示す４つのステップのランダムアクセス過程は、以下の内容を含む。
【００５７】
３１０において、端末デバイスは、ランダムアクセスチャンネルでＭＳＧ１を送信し、ＭＳＧ１は、ランダムアクセスプリアンブルを含むメッセージである。
【００５８】
３２０において、ネットワークデバイスは、ＭＳＧ１を受信した後、下り共通チャンネル（ＤＬ−ＳＣＨ：Ｄｏｗｎｌｉｎｋ  ｓｈａｒｅ  ｃｈａｎｎｅｌ）でＭＳＧ２を送信し、ここで、ＭＳＧ２は、ランダムアクセス応答（ＲＡＲ：Ｒａｎｄｏｍ  Ａｃｃｅｓｓ  Ｒｅｓｐｏｎｓｅ）であり、ＲＡＲ応答にＴＡ調整及び上り許可指令及び一時セル無線ネットワーク一時識別子（Ｔ−ＣＲＮＴＩ：Ｔｅｍｐｏｒａｒｙ  Ｃｅｌｌ  Ｒａｄｉｏ  Ｎｅｔｗｏｒｋ  Ｔｅｍｐｏｒａｒｙ Ｉｄｅｎｔｉｆｉｅｒ）即ちＣＲＮＴＩが含まれる。
【００５９】
選択可能で、ＭＳＧ２メッセージは、ネットワークデバイスのメディアアクセス制御（ＭＡＣ：Ｍｅｄｉａ  Ａｃｃｅｓｓ  Ｃｏｎｔｒｏｌ）層に生成され、ＤＬ＿ＳＣＨにより搬送され、１つのＭＳＧ２メッセージが複数の端末デバイスのランダムアクセス請求応答に対応することができる。
【００６０】
選択可能で、ネットワークデバイスは、物理下り制御チャンネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を利用してＭＳＧ２をスケジューリングし、ランダムアクセス無線ネットワーク一時識別子（ＲＡ−ＲＮＴＩ：Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）でアドレス指定し、ＲＡ−ＲＮＴＩは、ＭＳＧ１が搬送される物理ランダムアクセスチャンネル（ＰＲＡＣＨ：Ｐｈｙｓｉｃａｌ  Ｒａｎｄｏｍ  Ａｃｃｅｓｓ  Ｃｈａｎｎｅｌ）時間周波数リソース位置により確定される。
【００６１】
選択可能で、ＭＳＧ２は、上り伝送タイミング進み量、ＭＳＧ３に割り当てる上りリソース、一時Ｃ−ＲＮＴＩ等を含む。
【００６２】
３３０において、端末デバイスは、ＭＳＧ２を受信した後、自分に属するＲＡＲメッセージであるかどうかを判断し、自分に属するＲＡＲメッセージであると判定する場合、ＭＳＧ３を送信し、当該ＭＳＧ−３にはＵＥ−ＩＤが含まれ、ここで、当該ＭＳＧ３について、ＵＥのＲＲＣ層に生成されたＲＲＣ  Ｃｏｎｎｅｃｔｉｏｎ  Ｒｅｑｕｅｓｔを送信し、当該ＲＲＣ接続要求を上り共通チャンネル（ＵＬ−ＳＣＨ：Ｕｐｌｉｎｋ  Ｓｈａｒｅｄ  Ｃｈａｎｎｅｌ）の共通制御チャンネル（ＣＣＣＨ：Ｃｏｍｍｏｎ  Ｃｏｎｔｒｏｌ  Ｃｈａｎｎｅｌ）にマッピングして送信してもよい。
【００６３】
選択可能で、４つのステップのランダムアクセス過程において、ＭＳＧ１とＭＳＧ２とは、低レイヤメッセージであり、レイヤ３（Ｌ３：Ｌａｙｅｒ３）で見えなく、シグナリング追跡の場合、端末デバイスのアクセスの一番目のシグナリングは、ＭＳＧ３であってもよい。
【００６４】
選択可能で、ネットワークデバイスは、ＭＳＧ２を受信した後、それに割り当てる上りリソースにおいてＭＳＧ３を伝送する。
【００６５】
３４０において、ネットワークデバイスは、ＭＳＧ３メッセージを受信した後、ＭＳＧ４を送信し、ここで、当該ＭＳＧ４にはＵＥ−ＩＤが含まれ、ＭＳＧ４につて、ＲＲＣ競合解決（ＲＲＣ  Ｃｏｎｔｅｎｔｉｏｎ  Ｒｅｓｏｌｕｔｉｏｎ）メッセージを送信し、当該メッセージは、ネットワークデバイスのＲＲＣにより発生し、ＤＬ−ＳＣＨでのＣＣＣＨ又は専用制御チャンネル（ＤＣＣＨ：Ｄｅｄｉｃａｔｅｄ  Ｃｏｎｔｒｏｌ  Ｃｈａｎｎｅｌ）にマッチングして送信してもよい。端末デバイスは、ＭＳＧ４を受信した後、それに自分のＵＥ−ＩＤが含まれる場合、ランダムアクセスが成功すると判定する。
【００６６】
選択可能で、本願の実施例において、異なるシーンに対して、ランダムアクセス過程内の各メッセージに含まれるものは、異なってもよい。
【００６７】
例えば、端末デバイスの初期アクセスの場合、ＭＳＧ３にはＲＲＣ層に生成されたＲＲＣ接続要求が含まれ、ＵＥのＳ−ＴＭＳＩ又はランダム数も含まれる。
【００６８】
例えば、接続再確立の場合、ＭＳＧ３には、ＲＲＣ層に生成したＲＲＣ接続再確立要求、Ｃ−ＲＮＴＩ及びＰＣＩが含まれる。
【００６９】
例えば、端末デバイスのセルハンドオーバの場合、ＭＳＧ３メッセージには、ＲＲＣ層に生成されたＲＲＣハンドオーバ完了メッセージ及びＵＥのＣ−ＲＮＴＩが含まれる。
【００７０】
例えば、上り／下りデータが到達する場合、ＭＳＧ３は端末デバイスのＣ−ＲＮＴＩを伝送してもよい。
【００７１】
以下の表１は、シーンにより、競合判定、スケジューリング及びＣ−ＲＮＴＩを説明する。
【表１】
2020504981.tif 000003
【００７２】
なお、図３に示す方法３００は、４つのステップのランダムアクセス過程の１つの具体的な実現方式であるが、本願の保護範囲を限定しない。
【００７３】
図４は本願の実施例における２つのステップのランダムアクセス過程の模式図である。図４に示すように、当該方法４００は、２つのステップのランダムアクセス過程であり、以下の内容を含む。
【００７４】
４１０において、端末デバイスがＭＳＧ１を送信し、当該ＭＳＧ１には、ランダムアクセスプリアンブルが含まれ、また、前記端末デバイスの識別子情報、前記端末デバイスの送信するデータバッファー状態情報及び接続確立要求情報の少なくとも１つが含まれる。
【００７５】
４２０において、ネットワークデバイスは、端末デバイスにＭＳＧ２を送信し、当該ＭＳＧ２には、ＴＡ調整、上り許可指令及びＴ−ＣＲＮＴＩが含み、また、端末デバイスの識別子情報及び接続確立応答情報の少なくとも１つが含まれる。
【００７６】
なお、図４に示す方法４００は、２つのステップのランダムアクセス過程の１つの実現方式であり、本願の保護範囲を限定しない。
【００７７】
なお、本願の実施例における第１のメッセージは、ＭＳＧ１、ＭＳＧ２、ＭＳＧ３又はＭＳＧ４であってもよく、ここで、ＭＳＧ１、ＭＳＧ、ＭＳＧ３又はＭＳＧ４に含まれる情報は、図３又は図４に示すのもであってもよく、本願の実施例はこれに限定しない。
【００７８】
選択可能で、本願の実施例におけるランダムアクセス過程は、競合に基づくランダムアクセス過程又は非競合に基づくランダムアクセス過程であり、ここで、競合に基づくランダムアクセス過程において、ネットワークデバイスは、ＭＳＧ１メッセージの前にＭＳＧ０を送信してもよく、当該ＭＳＧ０は、端末デバイスのＭＳＧ１の送信が占用するリソース、及びＭＳＧ１に含まれるランダムアクセスプリアンブルを示す。当該非競合に基づくランダムアクセスは、２つのステップのランダムアクセス過程及び４つのステップのランダムアクセス過程に適用される。
【００７９】
選択可能で、競合に基づくランダムアクセス方式は、以下のシーンに応用される。
【００８０】
１）ＲＲＣ＿ＩＤＬＥ状態での初期アクセス
２）無線リンクエラー発生した後の初期アクセス
３）ＲＲＣ＿ＣＯＮＮＥＣＴＥＤ状態で、上りデータ伝送が発生する時にアクセスし、例えば、上り同期外れ「ｎｏｎ−ｓｙｎｃｈｒｏｎｉｓｅｄ」が発生し、又はスケジューリング要求メッセージの送信に使用するＰＵＣＣＨリソースがない場合、すなわち、ランダムアクセスの方式の以外、ネットワークデバイスに通知する他の方式がない場合、端末デバイスが上りデータを送信する必要がある。
【００８１】
選択可能で、非競合に基づくランダムアクセス方式は、以下のシーンに応用される。
【００８２】
１）ＲＲＣ＿ＣＯＮＮＥＣＴＥＤ状態で、下りにデータが伝送し、上り同期外れ「ｎｏｎ−ｓｙｎｃｈｒｏｎｉｓｅｄ」が発生する場合、データの伝送について、受信する以外、確認も必要があり、上り同期外れが発生する場合、ネットワークデバイスが端末デバイスからの確認情報の受信を確保できなく、この時の下り同期が必要であるため、端末デバイスがランダムアクセスを行うためのリソースを下りメッセージで通知してもよく、例えば、プリアンブル系列及び送信タイミング等であり、これらのリソースは、双方の既知のものであるため、競合の方式でシステムにアクセスする必要がない。
【００８３】
２）ハンドオーバ過程のランダムアクセスであり、ハンドオーバの過程において、ターゲットネットワークデバイスは、サービスを提供するネットワークデバイスにより端末デバイスに使用可能なリソースを通知することができる。
【００８４】
そして、本願の実施例において、ネットワークデバイスと端末デバイスとは、ランダムアクセス過程のメッセージを伝送する場合、基本パラメータセットを柔軟に選択することができ、固定の基本パラメータセットを利用する必要がない。
【００８５】
選択可能で、本願の実施例において、
予め設定された多種の基本パラメータセット、
ランダム関数、
前記端末デバイスのレベル情報、
前記端末デバイスと前記アクセスネットワークデバイスとの現在リンク品質値、
前記端末デバイスの現在の所在位置の情報、
前記ランダムアクセス過程の実行時間、
前記端末デバイスの伝送するサービスの情報、
前記ランダムアクセス過程のトリガ要因、
前記第１のメッセージの伝送に使用するリソース、
前記第１のメッセージの伝送に使用する周波数領域リソースの所在の周波数帯、
前記端末デバイスがサポートする基本パラメータセット、
前記端末デバイスがサポートする周波数バンド、
前記ランダムアクセス過程の実行時に使用するランダムアクセス方式、
前記第１のメッセージの前の履歴メッセージに含まれる基本パラメータセットを示すための情報、及び
前記第１のメッセージの前の履歴メッセージが使用する基本パラメータセットのうちの少なくとも１つの情報に基づいて、前記第１のデバイスが前記第１の基本パラメータセットを確定する。
【００８６】
理解を容易にするため、以下、具体的な実現方式を参照し、第１の基本パラメータセットをどのように確定するかを説明する。
【００８７】
実現可能な方式において、前記第１のデバイスが前記予め設定された多種の基本パラメータセットから、前記第１の基本パラメータセットを選択する。
【００８８】
ここで、当該第１のデバイスが端末デバイスであり、当該予め設定された多種の基本パラメータセットは、ネットワークデバイスが端末デバイスのために設定されたものであってもよい。又は、他の方式で構成されたものであってもよく、例えば、出荷又は初期化する際に構成されたものであってもよい。
【００８９】
実現可能な方式において、前記第１のデバイスが前記ランダム関数に基づいて、第１の確率値を取得し、第１の対応関係及び前記第１の確率値に基づいて、前記第１の基本パラメータセットを確定し、ここで、前記第１の対応関係は、少なくとも１つの確率範囲と少なくとも１つの基本パラメータセットとの対応関係を示す。
【００９０】
例えば、第１のデバイスが端末デバイスであり、第２のデバイスがネットワークデバイスであり、ネットワークデバイスは、システム情報を介して、端末デバイスのために各基本パラメータセットの使用に要する確率範囲を設定する。端末デバイスは、ランダムアクセス過程を行う前に、ランダム関数を利用して確率値を取得し、当該確率値が属する確率範囲に対応する基本パラメータセットを選択することができる。
【００９１】
勿論、この実現方式において、第１のデバイスがネットワークデバイスであり、第２のデバイスが端末デバイスであってもよい。
【００９２】
なお、ネットワークデバイスが一部の基本パラメータセットの確率範囲を設定してもよく、ネットワークデバイスにより設定された確率範囲にある場合、対応する基本パラメータセットを選択し、そうでない場合、他の基本パラメータセットを選択する。
【００９３】
実現可能な方式において、前記第１のデバイスが前記ランダム関数に基づいて、第２の確率値を取得し、第２の対応関係、前記第２の確率値及び前記端末デバイスのレベル情報が示すレベルに基づいて、前記第１の基本パラメータセットを確定し、ここで、前記第２の対応関係は、少なくとも１つの端末デバイスレベルと少なくとも１つの確率範囲と少なくとも１つの基本パラメータセットとの対応関係を示す。
【００９４】
具体的に、第１のデバイスが端末デバイスであり、第２のデバイスがネットワークデバイスであり、ネットワークデバイスがシステム情報を介して第２の対応関係を設定し、当該第２の対応関係は、各端末デバイスレベルに対応する確率範囲と基本パラメータセットとの関係を示し、例えば、端末デバイスレベルＡは、確率範囲が０−５０である場合、基本パラメータセット１を採用し、確率範囲が５１−１００である場合、基本パラメータセット２を採用する。
【００９５】
勿論、この実現方式において、第１のデバイスがネットワークデバイスであり、第２のデバイスが端末デバイスであってもよい。
【００９６】
なお、ネットワークデバイスは、ある端末レベルに対し、一部の基本パラメータセットに対する確率範囲を設定してもよく、ネットワークデバイスにより設定された確率範囲にある場合、対応する基本パラメータセットを選択し、そうでない場合、他の基本パラメータセットを選択する。
【００９７】
実現可能な方式において、前記第１のデバイスが前記ランダム関数に基づいて、第３の確率値を取得し、第３の対応関係、前記第３の確率値及び前記端末デバイスの伝送するサービスのサービス情報が示すサービス品質レベルに基づいて、前記第１の基本パラメータセットを確定し、ここで、前記第３の対応関係は、少なくとも１つのサービス品質レベルと少なくとも１つの確率範囲と少なくとも１つの基本パラメータセットとの対応関係を示す。
【００９８】
具体的に、第１のデバイスが端末デバイスであり、第２のデバイスがネットワークデバイスであり、ネットワークデバイスがシステム情報に第３の対応関係を設定し、当該第３の対応関係は、各サービス品質レベルに対応する確率範囲及び基本パラメータセットを示し、例えば、サービス品質レベルＡに対し、確率範囲が０−５０である場合、基本パラメータセット１を選択し、確率範囲が５１−１００である場合、基本パラメータセット２を選択する。
【００９９】
勿論、この実現方式において、第１のデバイスがネットワークデバイスであり、第２のデバイスが端末デバイスであってもよい。
【０１００】
なお、ネットワークデバイスは、あるサービス品質レベルに対し、一部の基本パラメータセットの確率範囲を設定してもよく、ネットワークデバイスにより設定された確率範囲にある場合、対応する基本パラメータセットを選択し、そうでない場合、他の基本パラメータセットを選択する。
【０１０１】
選択可能で、前記端末デバイスの伝送するサービスのサービス情報は、
伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つを示す。
【０１０２】
選択可能で、前記第１のデバイスが伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つと、第４の対応関係とに基づいて、前記第１の基本パラメータセットを確定することを含み、
ここで、前記第４の対応関係は、少なくとも１つのサービス品質レベル、少なくとも１つの遅延要求、少なくとも１つのデータ量の範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つの基本パラメータセットとの対応関係を示す。
【０１０３】
例えば、端末デバイスは、遅延要求が高いサービスを行う場合、短いＴＴＩ又は大きいサブキャリア間隔を利用してランダムアクセス過程のメッセージの送信を行い、例えば、ＭＳＧ１又はＭＳＧ３を送信する。
【０１０４】
選択可能で、前記第１のデバイスがページングメッセージに基づいて、伝送するサービスのサービス情報を取得する。
【０１０５】
具体的に、第１のデバイスが端末デバイスである場合、端末デバイスは、ネットワークデバイスにより送信されたページングメッセージから伝送するサービスのサービス情報を取得することができる。第１のデバイスがネットワークデバイスである場合、ネットワークデバイスは、コアネットワークデバイスからのページングメッセージから、端末デバイスの伝送するサービスのサービス情報を取得し、当該ページングメッセージを端末デバイスに送信することができる。
【０１０６】
選択可能で、第１のデバイスがネットワークデバイスであり、第１のメッセージがＭＳＧ２又はＭＳＧ４である場合、ネットワークデバイスは、端末デバイスにより送信されたＭＳＧ１又はＭＳＧ３から、伝送するサービスのサービス情報を取得することができる。
【０１０７】
選択可能で、前記ランダムアクセス過程のトリガ要因は、
前記端末デバイスが初期アクセスを要求すること、 
前記端末デバイスがアイドル状態から連続状態に切り替えること、
前記端末デバイスが上り同期を要求すること、 
前記端末デバイスがネットワークデバイスに端末デバイス識別子を要求すること、
前記端末デバイスがネットワークデバイスにリソースを要求すること、 
前記端末デバイスがセルハンドオーバを行うこと、
及び前記端末デバイスの無線リンク失敗が発生することのいずれかである。
【０１０８】
選択可能で、前記第１のデバイスが前記ランダムアクセス過程のトリガ要因及び第５の対応関係に基づいて、前記第１の基本パラメータセットを確定し、ここで、前記第５の対応関係は、ランダムアクセス過程の少なくとも１つのトリガ要因と少なくとも１つの基本パラメータセットとの対応関係を示す。
【０１０９】
例えば、端末デバイスは、無線リンク失敗によりＲＲＣ再接続を行う必要がある場合、接続を早速に回復するために、短いＴＴＩ又は大きいサブキャリア間隔のランダムアクセス過程に伝送されるメッセージ、例えば、ＭＳＧ１又はＭＳＧ３を使用することができる。
【０１１０】
例えば、端末デバイスは、ハンドオーバする場合、ハンドオーバ命令を受信した後、まずターゲットセルにランダムアクセスする必要があり、ハンドオーバの遅延を低減するために、短いＴＴＩ又は大きいサブキャリア間隔の基本パラメータセットを利用してランダムアクセス過程に伝送されるメッセージを送信することができ、例えばＭＳＧ１又はＭＳＧ３である。
【０１１１】
選択可能で、第１のデバイスがネットワークデバイスである場合、ネットワークデバイスは、ランダムアクセス過程のメッセージに含まれる情報に基づいて、ランダムアクセス過程のトリガ要因を確定する。
【０１１２】
選択可能で、前記第１のデバイスが第６の対応関係、及び前記端末デバイスとネットワークデバイスとの現在リンク品質値に基づいて、前記第１の基本パラメータセットを確定し、
ここで、前記第６の対応関係は、少なくとも１つのリンク品質値と少なくとも１つの基本パラメータセットとの対応関係を示す。
【０１１３】
実現可能な方式において、前記第１のデバイスが第７の対応関係及び前記端末デバイスの現在の所在位置の情報が示す位置に基づいて、前記第１の基本パラメータセットを確定し、
ここで、前記第７の対応関係は、少なくとも１つの位置と少なくとも１つの基本パラメータセットとの対応関係を示す。
【０１１４】
選択可能で、前記端末デバイスの現在の所在位置の情報は、前記端末デバイスの現在の所在セル、トラッキングエリア、ページングエリア又はサービスエリアを示す。
【０１１５】
具体的に、ネットワークデバイスは、システム情報の各基本パラメータセットに対応するセル、トラッキングエリア、ページングエリア又はサービスエリア（サービス提供エリア）で端末デバイスに送信し、又は、端末デバイスは、契約情報又はＮＡＳ層メッセージでコアネットワークからこの情報を取得する。
【０１１６】
選択可能で、前記第１のデバイスが第８の対応関係及び前記ランダムアクセス過程の実行時間に基づいて、前記第１の基本パラメータセットを確定することを含み、
ここで、前記第８の対応関係は、少なくとも１つの時間範囲と少なくとも１つの基本パラメータセットとの対応関係を示す。
【０１１７】
ここで、各基本パラメータセットの時間範囲は、時間又は日を単位とし、例えば、毎日の０時−１２時に基本パラメータセット１を採用し、その他の時間帯に基本パラメータセット２を採用する。
【０１１８】
選択可能で、前記第１のデバイスが第９の対応関係及び前記第１のメッセージの伝送に使用するリソースに基づいて、前記第１の基本パラメータセットを確定し、
ここで、前記第９の対応関係は、少なくとも１つのリソース範囲と少なくとも１つの基本パラメータセットとの対応関係を示す。
【０１１９】
選択可能で、基本パラメータセットを確定するためのリソースは、時間領域、周波数領域、コード領域及び空間領域（例えば、ビーム）リソースの少なくとも１つである。
【０１２０】
実現可能な方式において、前記第１のデバイスが第１０の対応関係、及び前記第１のメッセージの伝送に使用するリソースの所在の周波数帯又は前記端末デバイスがサポートする周波数バンドに基づいて、前記第１の基本パラメータセットを確定し、
ここで、前記第１０の対応関係は、少なくとも１つの周波数帯と少なくとも１つの基本パラメータセットとの対応関係を示す。
【０１２１】
具体的に、ネットワークデバイスが各周波数帯に使用可能な基本パラメータセットを設定し、端末がランダムアクセスの周波数帯又はサポートする周波数バンドを選択して対応する基本パラメータセットを選択する。
【０１２２】
実現可能な方式において、前記第１のデバイスが第１１の対応関係及び前記ランダムアクセス過程の実行に使用するランダムアクセス方式に基づいて、前記第１の基本パラメータセットを確定し、
ここで、前記第１１の対応関係は、少なくとも１つのランダムアクセス方式と少なくとも１つの基本パラメータセットとの対応関係を示す。
【０１２３】
実現可能な方式において、異なるランダムアクセス方式を利用して実行するランダムアクセス過程において、送受信するメッセージの数及び／又は送受信するメッセージに含まれる情報は、異なる。
【０１２４】
実現可能な方式において、前記第１のデバイスが前記ランダムアクセス過程の履歴メッセージが使用する基本パラメータセット、又は前記ランダムアクセス過程の履歴メッセージに含まれる情報が示す基本パラメータセットを、前記第１の基本パラメータセットとして確定することを含む。
【０１２５】
例えば、第１のデバイスがネットワークデバイスであり、第２のデバイスが端末デバイスであり、ネットワークデバイスがＭＳＧ２を伝送する時に、ＭＳＧ１の伝送に使用する基本パラメータセットを、ＭＳＧ２を送信するための基本パラメータセットとして確定し、又は、ネットワークデバイスがＭＳＧ４を伝送する時に、ＭＳＧ３を伝送するための基本パラメータセットを、ＭＳＧ４を送信するための基本パラメータセットとして確定する。
【０１２６】
例えば、第１のデバイスが端末デバイスであり、第２のデバイスがネットワークデバイスであり、端末デバイスがＭＳＧ３を伝送する時に、ＭＳＧ２が使用する基本パラメータセットを、ＭＳＧ３の伝送に使用する基本パラメータセットとして確定し、又は、ＭＳＧ２に含まれる情報が示す基本パラメータセットを、ＭＳＧ３を伝送するための基本パラメータセットとして確定する。
【０１２７】
実現可能な方式において、前記第１のデバイスが過去ランダムアクセス過程に伝送されるメッセージが使用する基本パラメータセットを、前記第１の基本パラメータセットとして確定する。
【０１２８】
具体的に、端末デバイス又はネットワークデバイスは、前回に成功アクセスしたランダムアクセス過程に使用する基本パラメータセット、又は前回のランダムアクセス過程に使用する基本パラメータセットを第１の基本パラメータセットとして確定する。
【０１２９】
例えば、端末デバイスは、ＭＳＧ１を送信する時に、前回に成功アクセスしたランダムアクセス過程において送信したＭＳＧ１が使用する基本パラメータセットを、ＭＳＧ１の今回送信に使用する基本パラメータセットとして確定する。
【０１３０】
例えば、端末デバイスは、ＭＳＧ３を送信する時に、前回に成功アクセスしたランダムアクセス過程において送信したＭＳＧ３が使用する基本パラメータセットを、ＭＳＧ３の今回の送信に使用する基本パラメータセットとして確定する。
【０１３１】
実現可能な方式において、前記端末デバイスは、前記ランダムアクセス過程において、複数回に選択された基本パラメータセットを利用して前記第１のメッセージを送信してから、前記アクセスネットワークデバイスからの前記第１のメッセージに対する応答メッセージを受信しない場合、予め設定された基本パラメータセット又は過去ランダムアクセス過程に使用された基本パラメータセットを、前記第１の基本パラメータセットとして確定する。
【０１３２】
例えば、端末デバイスは、ある基本パラメータセットを利用してＭＳＧ１を複数に送信しても、ＭＳＧ２を受信しない場合、前回に成功にアクセスしたランダムアクセス過程に送信したＭＳＧ１が使用する基本パラメータセットを、ＭＳＧ１の今回送信に使用する基本パラメータセットとして確定する。
【０１３３】
例えば、端末デバイスは、ある基本パラメータセットを利用してＭＳＧ１を複数に送信しても、ＭＳＧ２を受信しない場合、前回のランダムアクセス過程に送信したＭＳＧ１が使用する基本パラメータセットを、ＭＳＧ１の今回の送信に使用する基本パラメータセットとして確定する。
【０１３４】
例えば、端末デバイスは、ある基本パラメータセットを利用してＭＳＧ１を複数に送信しても、ＭＳＧ２を受信しない場合、予め設定された基本パラメータセットを、ＭＳＧ１の再送に使用する基本パラメータセットとして確定する。
【０１３５】
選択可能で、前記第１のメッセージは、ネットワークデバイスが端末デバイスに送信したメッセージであり、前記第１のメッセージは、さらに、データ伝送のための第２の基本パラメータセットを示し、前記第１のデバイスが前記第２の基本パラメータに基づいて、前記第２のデバイスとデータ伝送する。
【０１３６】
選択可能で、本願の実施例に記載される対応関係又は閾値等は、予め設定されたものであってもよく、例えば、ネットワークデバイスが端末デバイスのために設定されたものであり、又は、出荷や初期化の時に設定されたものであり、又は契約情報により取得されたものである。
【０１３７】
選択可能で、本願の実施例に記載される対応関係又は閾値等は、ＮＡＳ層に予め設定されたものである。
【０１３８】
そして、本願の実施例において、ネットワークデバイスと端末デバイスとは、ランダムアクセス過程のメッセージを伝送する時に、状況によって、基本パラメータセットを柔軟に選択することができ、固定の基本パラメータセットを選択する必要がない。
【０１３９】
図５は本願の実施例におけるランダムアクセスのためのデバイス５００のブロック図である。図５に示すように、当該デバイス５００は、確定ユニット５１０及び送受信ユニット５２０を含む。
【０１４０】
ここで、確定ユニット５１０は、ランダムアクセス過程に伝送する第１のメッセージが使用する第１の基本パラメータセットを確定するように構成され、送受信ユニット５２０は、前記第１の基本パラメータセットを使用して、第２のデバイスに前記第１のメッセージを送信し、又は、前記第２のデバイスにより送信された前記第１のメッセージを受信するように構成される。
【０１４１】
選択可能で、前記ランダムアクセスのための第１のメッセージは、４つのステップのランダムアクセス過程に伝送されるメッセージ、又は２つのステップのランダムアクセス過程に伝送されるメッセージである。
【０１４２】
選択可能で、前記デバイス５００が端末デバイスであり、前記第２のデバイスがアクセスネットワークデバイスであり、又は、
前記デバイス５００がアクセスネットワークデバイスであり、前記第２のデバイスが端末デバイスである。
【０１４３】
選択可能で、前記確定ユニット５１０は、さらに、
予め設定された多種の基本パラメータセット、
ランダム関数、
前記端末デバイスのレベル情報、
前記端末デバイスと前記アクセスネットワークデバイスとの現在リンク品質値、
前記端末デバイスの現在の所在位置の情報、
前記ランダムアクセス過程の実行時間、
前記端末デバイスの伝送するサービスの情報、
前記ランダムアクセス過程のトリガ要因、
前記第１のメッセージの伝送に使用するリソース、
前記第１のメッセージの伝送に使用する周波数領域リソースの所在の周波数帯、
前記端末デバイスがサポートする基本パラメータセット、
前記端末デバイスがサポートする周波数バンド、
前記ランダムアクセス過程の実行時に使用するランダムアクセス方式、
前記第１のメッセージの前の履歴メッセージに含まれる基本パラメータセットを示すための情報、及び
前記第１のメッセージの前の履歴メッセージが使用する基本パラメータセットのうちの少なくとも１つの情報に基づいて、前記第１の基本パラメータセットを確定するように構成される。
【０１４４】
選択可能で、前記確定ユニット５１０は、さらに、
前記予め設定された多種の基本パラメータセットから、前記第１の基本パラメータセットを選択するように構成される。
【０１４５】
選択可能で、前記確定ユニット５１０は、さらに、
前記ランダム関数に基づいて、第１の確率値を取得し、
第１の対応関係及び前記第１の確率値に基づいて、前記第１の基本パラメータセットを確定するように構成され、ここで、前記第１の対応関係は、少なくとも１つの確率範囲と少なくとも１つの基本パラメータセットとの対応関係を示す。
【０１４６】
選択可能で、前記確定ユニット５１０は、さらに、
前記ランダム関数に基づいて、第２の確率値を取得し、
第２の対応関係、前記第２の確率値及び前記端末デバイスのレベル情報が示すレベルに基づいて、前記第１の基本パラメータセットを確定するように構成され、ここで、前記第２の対応関係は、少なくとも１つの端末デバイスレベルと少なくとも１つの確率範囲と少なくとも１つの基本パラメータセットとの対応関係を示す。
【０１４７】
選択可能で、前記確定ユニット５１０は、さらに、
前記ランダム関数に基づいて、第３の確率値を取得し、
第３の対応関係、前記第３の確率値及び前記端末デバイスの伝送するサービスのサービス情報が示すサービス品質レベルに基づいて、前記第１の基本パラメータセットを確定するように構成され、ここで、前記第３の対応関係は、少なくとも１つのサービス品質レベルと少なくとも１つの確率範囲と少なくとも１つの基本パラメータセットとの対応関係を示す。
【０１４８】
選択可能で、前記端末デバイスの伝送するサービスのサービス情報は、
伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つを示す。
【０１４９】
選択可能で、前記確定ユニット５１０は、さらに、
伝送するサービスのサービス品質レベル、伝送するサービスの遅延要求、伝送するサービスのデータ量の大きさ、伝送するサービスのサービスタイプ、伝送するサービスのコールタイプ、伝送するサービスが所属するベアラ、伝送するサービスが所属するデータストリーム、及び伝送するサービスが所属する論理チャンネルのうちの少なくとも１つと、第４の対応関係とに基づいて、前記第１の基本パラメータセットを確定するように構成され、
ここで、前記第４の対応関係は、少なくとも１つのサービス品質レベル、少なくとも１つの遅延要求、少なくとも１つのデータ量の範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つの基本パラメータセットとの対応関係を示す。
【０１５０】
選択可能で、前記確定ユニット５１０は、さらに、
ページングメッセージに基づいて、伝送するサービスのサービス情報を取得するように構成される。
【０１５１】
選択可能で、前記ランダムアクセス過程のトリガ要因は、
前記ランダムアクセス過程のトリガ要因は、
前記端末デバイスが初期アクセスを要求すること、 
前記端末デバイスがアイドル状態から連続状態に切り替えること、
前記端末デバイスが上り同期を要求すること、 
前記端末デバイスがネットワークデバイスに端末デバイス識別子を要求すること、
前記端末デバイスがネットワークデバイスにリソースを要求すること、 
前記端末デバイスがセルハンドオーバを行うこと、及び
前記端末デバイスの無線リンク失敗が発生することのいずれかである。
【０１５２】
選択可能で、前記確定ユニット５１０は、さらに、
前記ランダムアクセス過程のトリガ要因及び第５の対応関係に基づいて、前記第１の基本パラメータセットを確定するように構成され、ここで、前記第５の対応関係は、ランダムアクセス過程の少なくとも１つのトリガ要因と少なくとも１つの基本パラメータセットとの対応関係を示す。
【０１５３】
選択可能で、前記確定ユニット５１０は、さらに、
第６の対応関係、及び前記端末デバイスとネットワークデバイスとの現在リンク品質値に基づいて、前記第１の基本パラメータセットを確定するように構成され、
ここで、前記第６の対応関係は、少なくとも１つのリンク品質値と少なくとも１つの基本パラメータセットとの対応関係を示す。
【０１５４】
選択可能で、前記確定ユニット５１０は、さらに、
第７の対応関係及び前記端末デバイスの現在の所在位置の情報が示す位置に基づいて、前記第１の基本パラメータセットを確定するように構成され、
ここで、前記第７の対応関係は、少なくとも１つの位置と少なくとも１つの基本パラメータセットとの対応関係を示す。
【０１５５】
選択可能で、前記端末デバイスの現在の所在位置の情報は、前記端末デバイスの現在の所在セル、トラッキングエリア、ページングエリア又はサービスエリアを示す。
【０１５６】
選択可能で、前記確定ユニット５１０は、さらに、
第８の対応関係及び前記ランダムアクセス過程の実行時間に基づいて、前記第１の基本パラメータセットを確定するように構成され、
ここで、前記第８の対応関係は、少なくとも１つの時間範囲と少なくとも１つの基本パラメータセットとの対応関係を示す。
【０１５７】
選択可能で、前記確定ユニット５１０は、さらに、
第９の対応関係及び前記第１のメッセージの伝送に使用するリソースに基づいて、前記第１の基本パラメータセットを確定するように構成され、
ここで、前記第９の対応関係は、少なくとも１つのリソース範囲と少なくとも１つの基本パラメータセットとの対応関係を示す。
【０１５８】
選択可能で、前記確定ユニット５１０は、さらに、
第１０の対応関係、及び前記第１のメッセージの伝送に使用するリソースの所在の周波数帯又は前記端末デバイスがサポートする周波数バンドに基づいて、前記第１の基本パラメータセットを確定するように構成され、
ここで、前記第１０の対応関係は、少なくとも１つの周波数帯と少なくとも１つの基本パラメータセットとの対応関係を示す。
【０１５９】
選択可能で、前記確定ユニット５１０は、さらに、
第１１の対応関係及び前記ランダムアクセス過程の実行に使用するランダムアクセス方式に基づいて、前記第１の基本パラメータセットを確定するように構成され、
ここで、前記第１１の対応関係は、少なくとも１つのランダムアクセス方式と少なくとも１つの基本パラメータセットとの対応関係を示す。
【０１６０】
選択可能で、異なるランダムアクセス方式を利用して実行するランダムアクセス過程において、送受信するメッセージの数及び／又は送受信するメッセージに含まれる情報は、異なる。
【０１６１】
選択可能で、前記確定ユニット５１０は、さらに、
前記ランダムアクセス過程の履歴メッセージが使用する基本パラメータセット、又は、前記ランダムアクセス過程の履歴メッセージに含まれる情報が示す基本パラメータセットを、前記第１の基本パラメータセットとして確定するように構成される。
【０１６２】
選択可能で、前記確定ユニット５１０は、さらに、
過去ランダムアクセス過程に伝送されるメッセージが使用する基本パラメータセットを、前記第１の基本パラメータセットとして確定するように構成される。
【０１６３】
選択可能で、前記第１のメッセージは、前記端末デバイスは前記ネットワークデバイスに送信したメッセージであり、前記デバイスが前記端末デバイスであり、前記確定ユニット５１０は、さらに、
前記ランダムアクセス過程において、複数に選択された基本パラメータセットを利用して前記第１のメッセージを送信してから、前記アクセスネットワークデバイスからのランダムアクセス応答メッセージを受信しない場合、前記端末デバイスが予め設定された基本パラメータセット又は過去ランダムアクセス過程に使用した基本パラメータセットを、前記第１の基本パラメータセットとして確定する。
【０１６４】
選択可能で、前記過去ランダムアクセス過程は、前回に成功アクセスしたランダムアクセス過程、又は、前回のランダムアクセス過程である。
【０１６５】
選択可能で、前記第１のメッセージは、ネットワークデバイスが端末デバイスに送信したメッセージであり、前記第１のメッセージは、さらに、データ伝送のための第２の基本パラメータセットを示し、
前記送受信ユニット５２０は、さらに、
前記第２の基本パラメータに基づいて、前記第２のデバイスとデータ通信するように構成される。
【０１６６】
なお、当該第１のデバイス５００は、図２に示す方法２００を実行し、簡潔のため、ここで説明を省略する。
【０１６７】
図６は本願の実施例におけるランダムアクセスのためのデバイス６００のブロック図である。図６に示すように、当該デバイス６００は、プロセッサ６１０及びメモリ６２０を含む。ここで、当該メモリ６２０は、プログラムコードを記憶し、当該プロセッサ６１０は、当該メモリ６２０に記憶されたプログラムコードを実行する。
【０１６８】
選択可能で、図６に示すように、当該デバイス６００は、さらに、送受信機６３０を含み、プロセッサ６１０は、送受信機６３０と外部との通信を制御する。
【０１６９】
選択可能で、当該プロセッサ６１０は、メモリ６２０に記憶されたプログラムコードを実行して、図２の方法２００の第１のデバイスに関連する操作を実行し、簡潔のため、ここで説明を省略する。
【０１７０】
図７は本願の実施例におけるシステムチップの構成図である。図７のシステムチップ７００は、入力インタフェース７０１、出力インタフェース７０２を含み、前記プロセッサ７０３とメモリ７０４とは、通信に接続され、前記プロセッサ７０３は、前記メモリ７０４内のコードを実行する。
【０１７１】
選択可能で、前記コードが実行される場合、前記プロセッサ７０３は、方法の実施例において第１のデバイスが実行する方法を実現する。簡潔のため、ここで説明を省略する。
【０１７２】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１７３】
当業者は、簡潔にするために、上記のシステム、装置及びユニットの動作過程が上記の方法の実施例の過程を参照することができると理解すべきであり、ここで説明を省略する。
【０１７４】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインタフェース、装置、又はユニットの間接のカップリング又は通信によって接続されても良く、電気的、機械的、又はその他の形式であっても良い。
【０１７５】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１７６】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１７７】
前記機能は、ソフトウェア機能ユニットの方式で実現し、しかも独立した製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１７８】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020504981.tif 000004
【図２】
2020504981.tif 000005
【図３】
2020504981.tif 000006
【図４】
2020504981.tif 000007
【図５】
2020504981.tif 000008
【図６】
2020504981.tif 000009
【図７】
2020504981.tif 000010
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
第１のデバイスがランダムアクセス過程に伝送される第１のメッセージが使用する第１の基本パラメータセットを確定することと、
前記第１の基本パラメータセットを利用して、前記第１のデバイスが第２のデバイスに前記第１のメッセージを送信し、又は前記第２のデバイスにより送信された前記第１のメッセージを受信することとを含む
ことを特徴とするランダムアクセスのための方法。
【請求項２】
前記ランダムアクセスのための第１のメッセージは、４つのステップのランダムアクセス過程に伝送されるメッセージ、又は２つのステップのランダムアクセス過程に伝送されるメッセージである
ことを特徴とする請求項１に記載のランダムアクセスのための方法。
【請求項３】
前記第１のデバイスが端末デバイスであり、前記第２のデバイスがアクセスネットワークデバイスであり、又は、
前記第１のデバイスがアクセスネットワークデバイスであり、前記第２のデバイスが端末デバイスである
ことを特徴とする請求項１又は２に記載のランダムアクセスのための方法。
【請求項４】
前記第１のデバイスがランダムアクセスのための第１のメッセージの伝送に使用する第１の基本パラメータセットを確定することは、
予め設定された多種の基本パラメータセット、
ランダム関数、
前記端末デバイスのレベル情報、
前記端末デバイスと前記アクセスネットワークデバイスとの現在リンク品質値、
前記端末デバイスの現在の所在位置の情報、
前記ランダムアクセス過程の実行時間、
前記端末デバイスの伝送するサービスの情報、
前記ランダムアクセス過程のトリガ要因、
前記第１のメッセージの伝送に使用するリソース、
前記第１のメッセージの伝送に使用する周波数領域リソースの所在の周波数帯、
前記端末デバイスがサポートする基本パラメータセット、
前記端末デバイスがサポートする周波数バンド、
前記ランダムアクセス過程の実行時に使用するランダムアクセス方式、
前記第１のメッセージの前の履歴メッセージに含まれる基本パラメータセットを示すための情報、及び
前記第１のメッセージの前の履歴メッセージが使用する基本パラメータセットのうちの少なくとも１つの情報に基づいて、前記第１のデバイスが前記第１の基本パラメータセットを確定することを含む
ことを特徴とする請求項３に記載のランダムアクセスのための方法。
【請求項５】
前記第１のデバイスが前記第１の基本パラメータセットを確定することは、
前記第１のデバイスが前記予め設定された多種の基本パラメータセットから、前記第１の基本パラメータセットを選択することを含む
ことを特徴とする請求項４に記載のランダムアクセスのための方法。
【請求項６】
前記第１のデバイスが前記第１の基本パラメータセットを確定することは、
前記第１のデバイスが前記ランダム関数に基づいて、第１の確率値を取得することと、
第１の対応関係及び前記第１の確率値に基づいて、前記第１の基本パラメータセットを確定することとを含み、
前記第１の対応関係は、少なくとも１つの確率範囲と少なくとも１つの基本パラメータセットとの対応関係を示す
ことを特徴とする請求項４又は５に記載のランダムアクセスのための方法。
【請求項７】
前記第１のデバイスが前記第１の基本パラメータセットを確定することは、
前記第１のデバイスが前記ランダム関数に基づいて、第２の確率値を取得することと、
第２の対応関係、前記第２の確率値及び前記端末デバイスのレベル情報が示すレベルに基づいて、前記第１の基本パラメータセットを確定することとを含み、
前記第２の対応関係は、少なくとも１つの端末デバイスレベルと少なくとも１つの確率範囲と少なくとも１つの基本パラメータセットとの対応関係を示す
ことを特徴とする請求項４又は５に記載のランダムアクセスのための方法。
【請求項８】
前記第１のデバイスが前記第１の基本パラメータセットを確定することは、
前記第１のデバイスが第１０の対応関係、及び前記第１のメッセージの伝送に使用するリソースの所在の周波数帯又は前記端末デバイスがサポートする周波数バンドに基づいて、前記第１の基本パラメータセットを確定することを含み、
前記第１０の対応関係は、少なくとも１つの周波数帯と少なくとも１つの基本パラメータセットとの対応関係を示す
ことを特徴とする請求項４又は５に記載のランダムアクセスのための方法。
【請求項９】
ランダムアクセス過程に伝送される第１のメッセージが使用する第１の基本パラメータセットを確定するように構成される確定ユニットと、
前記第１の基本パラメータセットを使用して、第２のデバイスに前記第１のメッセージを送信し、又は、前記第２のデバイスにより送信された前記第１のメッセージを受信するように構成される送受信ユニットと、を含む
ことを特徴とするランダムアクセスのためのデバイス。
【請求項１０】
前記ランダムアクセスのための第１のメッセージは、４つのステップのランダムアクセス過程に伝送されるメッセージ、又は２つのステップのランダムアクセス過程に伝送されるメッセージである
ことを特徴とする請求項９に記載のランダムアクセスのためのデバイス。
【請求項１１】
前記デバイスが端末デバイスであり、前記第２のデバイスがアクセスネットワークデバイスであり、又は、
前記デバイスがアクセスネットワークデバイスであり、前記第２のデバイスが端末デバイスである
ことを特徴とする請求項９又は１０に記載のランダムアクセスのためのデバイス。
【請求項１２】
前記確定ユニットは、さらに、
予め設定された多種の基本パラメータセット、
ランダム関数、
前記端末デバイスのレベル情報、
前記端末デバイスと前記アクセスネットワークデバイスとの現在リンク品質値、
前記端末デバイスの現在の所在位置の情報、
前記ランダムアクセス過程の実行時間、
前記端末デバイスの伝送するサービスの情報、
前記ランダムアクセス過程のトリガ要因、
前記第１のメッセージの伝送に使用するリソース、
前記第１のメッセージの伝送に使用する周波数領域リソースの所在の周波数帯、
前記端末デバイスがサポートする基本パラメータセット、
前記端末デバイスがサポートする周波数バンド、
前記ランダムアクセス過程の実行時に使用するランダムアクセス方式、
前記第１のメッセージの前の履歴メッセージに含まれる基本パラメータセットを示すための情報、及び
前記第１のメッセージの前の履歴メッセージが使用する基本パラメータセットのうちの少なくとも１つの情報に基づいて、前記第１の基本パラメータセットを確定するように構成される
ことを特徴とする請求項１１に記載のランダムアクセスのためのデバイス。
【請求項１３】
前記確定ユニットは、さらに、
前記予め設定された多種の基本パラメータセットから、前記第１の基本パラメータセットを選択するように構成される
ことを特徴とする請求項１２に記載のランダムアクセスのためのデバイス。
【請求項１４】
前記確定ユニットは、さらに、
前記ランダム関数に基づいて、第１の確率値を取得し、
第１の対応関係及び前記第１の確率値に基づいて、前記第１の基本パラメータセットを確定するように構成され、
前記第１の対応関係は、少なくとも１つの確率範囲と少なくとも１つの基本パラメータセットとの対応関係を示す
ことを特徴とする請求項１２又は１３に記載のランダムアクセスのためのデバイス。
【請求項１５】
前記確定ユニットは、さらに、
前記ランダム関数に基づいて、第２の確率値を取得し、
第２の対応関係、前記第２の確率値及び前記端末デバイスのレベル情報が示すレベルに基づいて、前記第１の基本パラメータセットを確定するように構成され、
前記第２の対応関係は、少なくとも１つの端末デバイスレベルと少なくとも１つの確率範囲と少なくとも１つの基本パラメータセットとの対応関係を示す
ことを特徴とする請求項１２又は１３に記載のランダムアクセスのためのデバイス。
【請求項１６】
前記確定ユニットは、さらに、
第１０の対応関係、及び前記第１のメッセージの伝送に使用するリソースの所在の周波数帯又は前記端末デバイスがサポートする周波数バンドに基づいて、前記第１の基本パラメータセットを確定するように構成され、
前記第１０の対応関係は、少なくとも１つの周波数帯と少なくとも１つの基本パラメータセットとの対応関係を示す
ことを特徴とする請求項１２又は１３に記載のランダムアクセスのためのデバイス。
【請求項１７】
メモリ、プロセッサ及び送受信機を含み、
前記メモリはプログラムコードを記憶し、
前記プロセッサは、前記メモリに記憶されたプログラムコードを実行して、前記送受信機と外部との通信を制御し、
前記プログラムコードが実行される場合、前記プロセッサは、請求項１〜８のいずれか1項に記載のランダムアクセスのための方法を実行する
ことを特徴とするランダムアクセスのためのデバイス。
【国際調査報告】
2020504981.tif 000011
2020504981.tif 000012
2020504981.tif 000013
2020504981.tif 000014